(57)【要約】【課題】  携帯端末が複数セルの重複エリアに存在しない場合でも、携帯端末から第２の無線基地局装置を介して上位の管理局１１へ障害情報を送信することが可能な無線通信システムの提供。【解決手段】  携帯端末１４は第１の無線基地局装置１２のセル２１内にのみ存在する。第１の無線基地局装置１２に障害が発生すると、第１の無線基地局装置１２からセル２１内の携帯端末１４に対し障害情報を送信する。携帯端末１４はその障害情報を自端末の記憶部４４に記憶する。そして、携帯端末１４が他のセル２２に移動すると記憶部４４に記憶した障害情報を読み出し、移動先の第２の無線基地局装置１３へ送信する。第２の無線基地局装置１３は受信した障害情報を上位の監視局１１へ送信する。【選択図】      図１
2008118228.tif 000002
【特許請求の範囲】
【請求項１】
第１および第２の無線基地局装置と、前記第１および第２の無線基地局装置を監視する上位の監視局と、前記第１および第２の無線基地局装置と通信する携帯端末とを含む無線通信システムであって、
前記第１の無線基地局装置は障害情報を前記携帯端末へ送信する送信手段を含み、
前記携帯端末は前記第１の無線基地局装置から受信した障害情報を記憶する記憶手段と、前記第２の無線基地局装置のエリア内に移動したときに、前記記憶手段にて記憶した障害情報を読み出し、前記第２の無線基地局装置へ送信する送信手段とを含み、
前記第２の無線基地局装置は前記携帯端末から受信した障害情報を前記上位の監視局へ送信する送信手段を含むことを特徴とする無線通信システム。
【請求項２】
前記障害情報は前記第１の無線基地局装置と前記上位の監視局間の回線使用不可に関する情報であることを特徴とする請求項１記載の無線通信システム。
【請求項３】
前記第１および第２の無線基地局装置は、ＣＤＭＡ(Code Division Multiple Access) 方式の無線基地局装置であることを特徴とする請求項１または２記載の無線通信システム。
【請求項４】
第１および第２の無線基地局装置と、前記第１および第２の無線基地局装置を監視する上位の監視局と、前記第１および第２の無線基地局装置と通信する携帯端末とを含む無線通信システムにおける無線基地局装置であって、
障害情報を前記携帯端末へ送信する送信手段を含み、
前記携帯端末で受信された障害情報が前記第２の無線基地局装置を介して前記上位の監視局へ送信されることを特徴とする無線基地局装置。
【請求項５】
前記障害情報は前記第１の無線基地局装置と前記上位の監視局間の回線使用不可に関する情報であることを特徴とする請求項４記載の無線基地局装置。
【請求項６】
ＣＤＭＡ(Code Division Multiple Access) 方式の無線基地局装置であることを特徴とする請求項４または５記載の無線基地局装置。
【請求項７】
第１および第２の無線基地局装置と、前記第１および第２の無線基地局装置を監視する上位の監視局と、前記第１および第２の無線基地局装置と通信する携帯端末とを含む無線通信システムにおける携帯端末であって、
前記第１の無線基地局装置から受信した障害情報を記憶する記憶手段と、前記第２の無線基地局装置のエリア内に移動したときに、前記記憶手段にて記憶した障害情報を読み出し、前記第２の無線基地局装置へ送信する送信手段とを含み、
前記第２の無線基地局装置で受信された障害情報が前記上位の監視局へ送信されることを特徴とする携帯端末。
【請求項８】
前記障害情報は前記第１の無線基地局装置と前記上位の監視局間の回線使用不可に関する情報であることを特徴とする請求項７記載の携帯端末。
【請求項９】
前記第１および第２の無線基地局装置は、ＣＤＭＡ(Code Division Multiple Access) 方式の無線基地局装置であることを特徴とする請求項７または８記載の携帯端末。
【請求項１０】
第１および第２の無線基地局装置と、前記第１および第２の無線基地局装置を監視する上位の監視局と、前記第１および第２の無線基地局装置と通信する携帯端末とを含む無線通信システムにおける障害情報送信方法であって、
前記第１の無線基地局装置は障害情報を前記携帯端末へ送信する送信ステップを含み、
前記携帯端末は前記第１の無線基地局装置から受信した障害情報を記憶する記憶ステップと、前記第２の無線基地局装置のエリア内に移動したときに、前記記憶手段にて記憶した障害情報を読み出し、前記第２の無線基地局装置へ送信する送信ステップを含み、
前記第２の無線基地局装置は前記携帯端末から受信した障害情報を前記上位の監視局へ送信する送信ステップを含むことを特徴とする障害情報送信方法。
【請求項１１】
前記障害情報は前記第１の無線基地局装置と前記上位の監視局間の回線使用不可に関する情報であることを特徴とする請求項１０記載の障害情報送信方法。
【請求項１２】
前記第１および第２の無線基地局装置は、ＣＤＭＡ(Code Division Multiple Access) 方式の無線基地局装置であることを特徴とする請求項１０または１１記載の障害情報送信方法。
【発明の詳細な説明】
【技術分野】
【０００１】
本発明は、無線通信システム、無線基地局装置および携帯端末ならびに障害情報送信方法に関し、特に無線基地局装置で発生した障害に関する情報を上位の監視局に報告する無線通信システム、無線基地局装置および携帯端末ならびに障害情報送信方法に関する。
【背景技術】
【０００２】
図４は従来の無線通信システムの一例の構成図である。同図を参照すると、従来の無線通信システム１００は、上位の監視局１１と、第１の無線基地局装置１２と、第２の無線基地局装置１３と、携帯端末１６とを含んで構成される。
【０００３】
第１の無線基地局装置１２および第２の無線基地局装置１３はともに上位の監視局１１とそれぞれ有線回線３１および３２で接続されており、上位の監視局１１は、第１の無線基地局装置１２および第２の無線基地局装置１３をそれぞれ監視している。
【０００４】
第１の無線基地局装置１２および第２の無線基地局装置１３はそれぞれ、アンテナ２１ａおよび１３ａを具備し、無線回線３３および３４を使用し、携帯端末１６をはじめ、一般のユーザが使用する携帯端末と通信を行っている。携帯端末１６はアンテナ１６ａを具備し、これもまた、一般のユーザが使用する携帯端末である。
【０００５】
第１の無線基地局装置１２および第２の無線基地局装置１３は、一例としてＣＤＭＡ(Code Division Multiple Access) 方式の無線基地局装置であり、携帯端末１６は第１の無線基地局装置１２および第２の無線基地局装置１３と同時に通信することによって、安定した受信状態を維持しながらスムーズに無線基地局装置１２〜１３間を移動することができる。
【０００６】
第１の無線基地局装置１２または第２の無線基地局装置１３に障害が発生した場合、通常、上位の監視局１１に障害情報を報告し、上位の監視局１１は第１の無線基地局装置１２または第２の無線基地局装置１３に発生した障害を認識している。
【０００７】
一方、一例として、第１の無線基地局装置１２に有線回線３１が使用できなくなる障害が発生した場合、第１の無線基地局装置１２は障害情報を上位の監視局１１に報告することができない。
【０００８】
このような場合の対応策の例について、図５を参照しながら説明する。図５は従来の障害情報送信方法の一例の模式説明図である。なお、同図において、図４と同様の構成部分には同一番号を付し、その説明を省略する。
【０００９】
図５を参照すると、第１の無線基地局装置１２のサービス提供エリアであるセル２１と、第２の無線基地局装置１３のサービス提供エリアであるセル２２とが示されており、一例として、セル２１とセル２２との重複エリアに携帯端末１６が存在している。
【００１０】
いま、第１の無線基地局装置１２に有線回線３１が使用できなくなる障害が発生したため、第１の無線基地局装置１２は障害情報を上位の監視局１１に報告することができなくなったものとする。
【００１１】
そこで、第１の無線基地局装置１２は、第１の無線基地局装置１２のセル２１内に存在する携帯端末１６に対し、アンテナ１２ａから無線回線３３を使用し、障害情報を送信する。
【００１２】
この障害情報をアンテナ１６ａを介して受信した携帯端末１６は、周囲にある他の無線基地局装置である第２の無線基地局装置１３に対し、その障害情報を無線区間３４を使用して送信する。
【００１３】
第２の無線基地局装置１３は無線区間３４を経由した第１の無線基地局装置１２の障害情報をアンテナ１３ａを介して受信し、有線回線３２を使用し、上位の監視局１１に対し第１の無線基地局装置１２の障害情報を報告する。
【００１４】
上位の監視局１１は第２の無線基地局装置１３から受信した障害情報から、第１の無線基地局装置１２に発生した障害情報の内容を認識する。
【００１５】
また、携帯端末１６は同時に第１の無線基地局装置１２および第２の無線基地局装置１３と通信を行っているため、携帯端末１６を使用しているユーザは、第１の無線基地局装置１２に障害が発生した場合でも、第２の無線基地局装置１３を使用して通信を継続することができる。このため、携帯端末１６を使用しているユーザは、第１の無線基地局装置１２の障害情報が送受信されたことを意識することなく、携帯端末１６を利用することができる。
【００１６】
この従来の無線通信システムの一例と同様の発明が特許文献１に記載されている。
【００１７】
一方、この種の障害情報の解決方法の他の一例として、無線基地局装置の障害復旧のために自律で無線基地局装置にリセットを行う方法が知られている（特許文献２参照）。
【００１８】
また、無線基地局装置にリモート監視用装置を併設し、無線基地局装置に障害が発生した場合、併設してあるリモート監視用装置から、正常に動作している他の無線基地局装置に障害情報を無線で送信し、正常に動作している他の無線基地局装置から上位の監視局に障害情報を送信する方法も知られている（特許文献２参照）。
【００１９】
また、異常通信呼のデータをメモリ回路に一時記憶し、正常に戻ったときにメモリ回路から読み出す発明が特許文献３に記載されている。
【００２０】
【特許文献１】特開２００５−１７５９００号公報（段落００２５〜００２８、図１および図５）
【特許文献２】特開２００３−０４６４２５号公報（段落０００３、００１６および図１）
【特許文献３】特開平０７−１７７０８１号公報（段落００１８、００１９および図１）
【発明の開示】
【発明が解決しようとする課題】
【００２１】
しかし、図４および図５に示す従来の無線通信システムおよび特許文献１に記載の発明は、携帯端末１６（図５参照）がセル２１とセル２２の重複エリア内に存在することが必須であり、携帯端末１６がセル２１内にしか存在しない場合は携帯端末１６から第２の無線基地局装置１３へ障害情報を送信することができないという課題がある。
【００２２】
また、特許文献２に記載の発明は、自律での無線基地局装置のリセットにより障害が復旧した場合、障害の原因解析を行なうことができないという課題がある。
【００２３】
さらに、特許文献２に記載の発明は、無線基地局装置にリモート監視用装置が必要となるため、無線基地局装置の筐体が大きくなり、高価になるという課題がある。
【００２４】
また、障害が発生した無線基地局装置に併設してあるリモート監視用装置から、正常に動作している他の無線基地局装置に障害情報を無線で送信する方法であるため、リモート監視用装置の無線送信エリア内に正常に動作している他の無線基地局装置が存在する必要があるという課題がある。
【００２５】
一方、特許文献３に記載の発明は、メモリ回路から読み出したデータを基地局経由で移動体通信用交換機に送信するものであり、メモリ回路から読み出したデータ（すなわち障害情報）を基地局経由で上位の監視局へ送信する本発明とは構成が全く相違する。
【００２６】
そこで本発明の目的は、携帯端末が複数セルの重複エリアに存在しない場合でも、携帯端末から第２の無線基地局装置を介して上位の管理局１１へ障害情報を送信することが可能で、また障害の原因解析を行うことが可能で、かつリモート監視用装置を不要とした無線通信システム、無線基地局装置および携帯端末ならびに障害情報送信方法を提供することにある。
【課題を解決するための手段】
【００２７】
前記課題を解決するために、本発明による無線通信システムは、第１および第２の無線基地局装置と、前記第１および第２の無線基地局装置を監視する上位の監視局と、前記第１および第２の無線基地局装置と通信する携帯端末とを含む無線通信システムであって、前記第１の無線基地局装置は障害情報を前記携帯端末へ送信する送信手段を含み、前記携帯端末は前記第１の無線基地局装置から受信した障害情報を記憶する記憶手段と、前記第２の無線基地局装置のエリア内に移動したときに、前記記憶手段にて記憶した障害情報を読み出し、前記第２の無線基地局装置へ送信する送信手段とを含み、前記第２の無線基地局装置は前記携帯端末から受信した障害情報を前記上位の監視局へ送信する送信手段を含むことを特徴とする。
【００２８】
また、本発明による無線基地局装置は、第１および第２の無線基地局装置と、前記第１および第２の無線基地局装置を監視する上位の監視局と、前記第１および第２の無線基地局装置と通信する携帯端末とを含む無線通信システムにおける無線基地局装置であって、障害情報を前記携帯端末へ送信する送信手段を含み、前記携帯端末で受信された障害情報が前記第２の無線基地局装置を介して前記上位の監視局へ送信されることを特徴とする。
【００２９】
また、本発明による携帯端末は、第１および第２の無線基地局装置と、前記第１および第２の無線基地局装置を監視する上位の監視局と、前記第１および第２の無線基地局装置と通信する携帯端末とを含む無線通信システムにおける携帯端末であって、前記第１の無線基地局装置から受信した障害情報を記憶する記憶手段と、前記第２の無線基地局装置のエリア内に移動したときに、前記記憶手段にて記憶した障害情報を読み出し、前記第２の無線基地局装置へ送信する送信手段とを含み、前記第２の無線基地局装置で受信された障害情報が前記上位の監視局へ送信されることを特徴とする。
【００３０】
また、本発明による障害情報送信方法は、第１および第２の無線基地局装置と、前記第１および第２の無線基地局装置を監視する上位の監視局と、前記第１および第２の無線基地局装置と通信する携帯端末とを含む無線通信システムにおける障害情報送信方法であって、前記第１の無線基地局装置は障害情報を前記携帯端末へ送信する送信ステップを含み、前記携帯端末は前記第１の無線基地局装置から受信した障害情報を記憶する記憶ステップと、前記第２の無線基地局装置のエリア内に移動したときに、前記記憶手段にて記憶した障害情報を読み出し、前記第２の無線基地局装置へ送信する送信ステップを含み、前記第２の無線基地局装置は前記携帯端末から受信した障害情報を前記上位の監視局へ送信する送信ステップを含むことを特徴とする。
【００３１】
ここで、本発明の作用を述べる。本発明では、携帯端末は第１の無線基地局装置のセル内にのみ存在する。第１の無線基地局装置に障害が発生すると、第１の無線基地局装置からセル内の携帯端末に対し障害情報を送信する。携帯端末はその障害情報を自端末の記憶部に記憶する。そして、携帯端末が他のセルに移動すると記憶部に記憶した障害情報を読み出し、移動先の第２の無線基地局装置へ送信する。第２の無線基地局装置は受信した障害情報を上位の監視局へ送信する。
【発明の効果】
【００３２】
本発明によれば、上記構成を含むため、携帯端末が複数セルの重複エリアに存在しない場合でも、携帯端末から第２の無線基地局装置を介して上位の監視局へ障害情報を送信することが可能となり、これにより障害の原因解析を行うことが可能となり、かつリモート監視用装置が不要となる。
【発明を実施するための最良の形態】
【００３３】
以下、本発明の実施例について添付図面を参照しながら説明する。図１は本発明に係る無線通信システムの一例の構成図である。なお、同図において図４および図５と同様の構成部分には同様の番号を付し、その説明を省略する。
【００３４】
図１を参照すると、本発明に係る無線通信システム１の構成が、図４および図５に示す従来の無線通信システム１００の構成と異なる点は、本発明の携帯端末１４は初期状態では第１の無線基地局装置１２のセル２１にのみ存在する点である。また、携帯端末１４は従来と異なる構成を含んでいる。
【００３５】
次に、本発明に係る携帯端末１４の一例の構成について説明する。図２は本発明に係る携帯端末１４の一例の構成図である。
【００３６】
同図を参照すると、携帯端末１４は通信部４１と、制御部４２と、入力部４３と、記憶部４４と、表示部４５と、アンテナ１４ａとを含んでいる。
【００３７】
通信部４１はデータの送受信処理を行う。入力部４３は数字、文字、記号等を入力する、一例としてキーボード等の入力部である。
【００３８】
記憶部４４にはプログラムやデータ等が記憶されるが、本発明ではさらに第１の無線基地局装置１２から受信した障害情報が記憶される。
【００３９】
表示部４５には送受信データやその他の情報が表示される。制御部４２は通信部４１、入力部４３、記憶部４４および表示部４５を制御する。アンテナ１４ａはデータ送受信用の空中線である。
【００４０】
次に、図１および図３を参照して本発明に係る障害情報送信方法の一例について説明する。図３は本発明に係る障害情報送信方法の一例のフローチャートである。
【００４１】
まず、図１を参照すると、携帯端末１４は初期状態で第１の無線基地局装置１２のセル２１内のみに存在している。
【００４２】
この状態で第１の無線基地局装置１２に有線回線３１の使用が不可となる障害が発生すると（図３のステップＳ１）、第１の無線基地局装置１２から無線回線３３を介してセル２１内の携帯端末１４に障害情報が送信される（図３のステップＳ２）。
【００４３】
携帯端末１４は受信した障害情報を記憶部４４に記憶する（図３のステップＳ３）。
【００４４】
携帯端末１４がセル２１から第２の無線基地局装置１３のセル２２内に移動したとき、携帯端末１４は記憶部４４から障害情報を読み出し、その障害情報を無線回線３４を介して第２の無線基地局装置１３へ送信する（図３のステップＳ４）。
【００４５】
第２の無線基地局装置１３は受信した障害情報を有線回線３２にて上位の監視局１１へ送信する（図３のステップＳ５）。
【００４６】
上位の監視局１１は第２の無線基地局装置１３から受信した障害情報から、第１の無線基地局装置１２に発生した障害の内容を認識する（図３のステップＳ６）。
【００４７】
以上説明したように、本発明によれば、携帯端末１４が第１の無線基地局装置１２から得た障害情報を記憶部４４に記憶しておき、携帯端末１４が第２の無線基地局装置１３のセル２２内に移動したときに記憶部４４から障害情報を読み出し、第２の無線基地局装置１３へ送信し、第２の無線基地局装置１３で受信した障害情報を上位の管理局１１へ送信する構成であるため、携帯端末１４が初期状態において第１の無線基地局装置１２のセル２１内のみに存在する場合でも、障害情報を第２の無線基地局装置を介して上位の管理局１１へ送信することが可能となる。
【産業上の利用可能性】
【００４８】
本発明を移動体携帯端末を対象とする無線基地局装置に適用することが可能である。
【図面の簡単な説明】
【００４９】
【図１】本発明に係る無線通信システムの一例の構成図である。
【図２】本発明に係る携帯端末１４の一例の構成図である。
【図３】本発明に係る障害情報送信方法の一例のフローチャートである。
【図４】従来の無線通信システムの一例の構成図である。
【図５】従来の障害情報送信方法の一例の模式説明図である。
【符号の説明】
【００５０】
１  無線通信システム
１１  上位の監視局
１２  第１の無線基地局装置
１２ａ  アンテナ
１３  第２の無線基地局装置
１３ａ  アンテナ
１４  携帯端末
１４ａ  アンテナ
４１  通信部
４２  制御部
４３  入力部
４４  記憶部
４５  表示部
【図１】
2008118228.tif 000003
【図２】
2008118228.tif 000004
【図３】
2008118228.tif 000005
【図４】
2008118228.tif 000006
【図５】
2008118228.tif 000007